【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
装置であって、
３７０〜５１０ナノメートル（ｎｍ）または７４０〜１，０２０ｎｍの波長を有する励起光を放出するように構成された励起光源であって、前記励起光源は、組織の一部を照明するように構成されている、励起光源と、
５５０〜７５０ナノメートル（ｎｍ）の波長を有する内因性蛍光放出光を検出するように構成された撮像デバイスと
を備え、
前記励起光源および前記撮像デバイスは、ファイバ内に含有されている、装置。
【請求項２】
前記励起光源は、発光ダイオード（ＬＥＤ）である、請求項１に記載の装置。
【請求項３】
前記ＬＥＤは、４５０ｎｍの波長を伴う励起光を放出するように構成されている、請求項２に記載の装置。
【請求項４】
前記撮像デバイスは、カメラである、請求項１に記載の装置。
【請求項５】
前記内因性蛍光放出が前記カメラによって検出される前に、前記内因性蛍光放出をフィルタ処理するように構成されている、フィルタをさらに備える、請求項４に記載の装置。
【請求項６】
前記フィルタは、屈折率分布型（ＧＲＩＮ）レンズである、請求項５に記載の装置。
【請求項７】
前記ＧＲＩＮレンズは、５５０ｎｍを下回る光をフィルタ処理するように構成されている、請求項６に記載の装置。
【請求項８】
前記カメラは、相補的金属酸化物半導体（ＣＭＯＳ）センサを備える、請求項４に記載の装置。
【請求項９】
前記内因性蛍光放出光を分析し、前記内因性蛍光放出光を子宮内膜組織のインジケータとして分類するように構成されている、コンピュータプロセッサをさらに備える、請求項１に記載の装置。
【請求項１０】
光コヒーレンス断層撮影（ＯＣＴ）撮像デバイスをさらに備える、請求項１に記載の装置。
【請求項１１】
前記ＯＣＴ撮像デバイスは、前記組織の一部内の空隙を検出するように構成されている、請求項１０に記載の装置。
【請求項１２】
前記組織内の空隙を分析し、前記空隙を子宮内膜腺のインジケータとして分類するように構成されている、コンピュータプロセッサをさらに備える、請求項１１に記載の装置。
【請求項１３】
前記励起光源は、レーザである、請求項１に記載の装置。
【請求項１４】
前記励起光源は、多光子撮像装置内の構成要素である、請求項１に記載の装置。
【請求項１５】
前記励起光源は、２光子撮像装置内の構成要素である、請求項１に記載の装置。
【請求項１６】
前記ファイバは、フォトニック結晶ファイバである、請求項１に記載の装置。
【請求項１７】
子宮内膜組織を検出するシステムであって、前記システムは、
組織を照明するために励起光を放出するように構成された励起光源と、
前記組織の照明に応答して、内因性蛍光放出を前記組織の一部から検出するように構成された撮像デバイスと
を備え、
前記内因性蛍光放出を生産する前記組織の前記一部は、子宮内膜組織として識別される、システム。
【請求項１８】
前記励起光源は、発光ダイオード（ＬＥＤ）から放出される、請求項１７に記載のシステム。
【請求項１９】
前記励起光は、４５０ｎｍの波長を有する、請求項１８に記載のシステム。
【請求項２０】
前記撮像デバイスは、カメラである、請求項１７に記載のシステム。
【請求項２１】
前記システムは、フィルタをさらに備え、前記内因性蛍光放出は、前記カメラによって検出される前に、前記フィルタを通して通過する、請求項２０に記載のシステム。
【請求項２２】
前記フィルタは、屈折率分布型（ＧＲＩＮ）レンズである、請求項２１に記載のシステム。
【請求項２３】
前記ＧＲＩＮレンズは、５５０ｎｍを下回る光をフィルタ処理するように構成されている、請求項２２に記載のシステム。
【請求項２４】
前記カメラは、相補的金属酸化物半導体（ＣＭＯＳ）センサを備える、請求項２０に記載のシステム。
【請求項２５】
前記励起光は、３７０〜５１０ナノメートル（ｎｍ）の波長を有する、請求項１７に記載のシステム。
【請求項２６】
単一光子撮像は、前記組織に行われる、請求項２５に記載のシステム。
【請求項２７】
前記励起光は、７４０〜１，０２０ナノメートル（ｎｍ）の波長を有する、請求項２５に記載のシステム。
【請求項２８】
２光子撮像は、前記組織に行われる、請求項２７に記載のシステム。
【請求項２９】
前記内因性蛍光放出は、５５０〜７５０ナノメートル（ｎｍ）の波長を有する、請求項１７に記載のシステム。
【請求項３０】
前記内因性蛍光放出は、ヘモジデリンから放出される、請求項１７に記載のシステム。
【請求項３１】
前記励起光源は、レーザである、請求項１７に記載のシステム。
【請求項３２】
前記励起光源は、多光子撮像装置において使用するために構成されている、請求項１７に記載のシステム。
【請求項３３】
前記励起光源は、２光子撮像装置において使用するために構成されている、請求項１７に記載のシステム。
【請求項３４】
子宮内膜腺によって生成された空隙は、識別される、請求項１７に記載のシステム。
【請求項３５】
前記空隙は、光コヒーレンス断層撮影によって識別される、請求項３４に記載のシステム。
【手続補正２】
【補正対象書類名】明細書
【補正対象項目名】００２２
【補正方法】変更
【補正の内容】
【００２２】
本発明の他の目的、特徴、および利点は、以下の発明を実施するための形態から明白となるであろう。しかしながら、発明を実施するための形態および具体的実施例は、本発明の具体的実施形態を示すが、本発明の精神および範囲内の種々の変更および修正が、本発明を実施するための形態から当業者に明白となるであろうため、例証としてのみ与えられることを理解されたい。
本願明細書は、例えば、以下の項目も提供する。
（項目１）
子宮内膜組織を検出する方法であって、前記方法は、
組織を励起光を用いて照明することと、
前記組織を前記励起光を用いて照明することに応答して、内因性蛍光放出を前記組織の一部から検出することと、
前記内因性蛍光放出を生産する組織を子宮内膜組織として識別することと
を含む、方法。
（項目２）
前記励起光は、発光ダイオード（ＬＥＤ）から放出される、項目１に記載の方法。
（項目３）
前記励起光は、４５０ｎｍの波長を有する、項目２に記載の方法。
（項目４）
前記内因性蛍光放出は、カメラによって検出される、項目１に記載の方法。
（項目５）
前記内因性蛍光放出は、前記カメラによって検出される前に、フィルタを通して通過する、項目４に記載の方法。
（項目６）
前記フィルタは、屈折率分布型（ＧＲＩＮ）レンズである、項目５に記載の方法。
（項目７）
前記ＧＲＩＮレンズは、５５０ｎｍを下回る光をフィルタ処理するように構成されている、項目６に記載の方法。
（項目８）
前記カメラは、相補的金属酸化物半導体（ＣＭＯＳ）センサを備える、項目４に記載の方法。
（項目９）
前記励起光は、３７０〜５１０ナノメートル（ｎｍ）の波長を有する、項目１に記載の方法。
（項目１０）
前記方法は、前記組織の単一光子撮像を組み込む、項目９に記載の方法。
（項目１１）
前記励起光は、７４０〜１，０２０ナノメートル（ｎｍ）の波長を有する、項目９に記載の方法。
（項目１２）
前記方法は、前記組織の２光子撮像を組み込む、項目１１に記載の方法。
（項目１３）
前記内因性蛍光放出は、５５０〜７５０ナノメートル（ｎｍ）の波長を有する、項目１に記載の方法。
（項目１４）
前記内因性蛍光放出は、ヘモジデリンから放出される、項目１に記載の方法。
（項目１５）
前記励起光は、レーザから放出される、項目１に記載の方法。
（項目１６）
前記励起光は、多光子撮像装置において使用するために構成される光源から放出される、項目１に記載の方法。
（項目１７）
前記励起光は、２光子撮像装置において使用するために構成される光源から放出される、項目１に記載の方法。
（項目１８）
子宮内膜腺によって生成された空隙を識別することをさらに含む、項目１に記載の方法。
（項目１９）
前記空隙は、光コヒーレンス断層撮影によって識別される、項目１８に記載の方法。
（項目２０）
装置であって、
３７０〜５１０ナノメートル（ｎｍ）または７４０〜１，０２０ｎｍの波長を有する励起光を放出するように構成された励起光源であって、前記励起光源は、組織の一部を照明するように構成されている、励起光源と、
５５０〜７５０ナノメートル（ｎｍ）の波長を有する内因性蛍光放出光を検出するように構成された撮像デバイスと
を備える、装置。
（項目２１）
前記励起光源は、発光ダイオード（ＬＥＤ）である、項目２０に記載の装置。
（項目２２）
前記ＬＥＤは、４５０ｎｍの波長を伴う励起光を放出するように構成されている、項目２に記載の装置。
（項目２３）
前記撮像デバイスは、カメラである、項目２０に記載の装置。
（項目２４）
前記内因性蛍光放出が前記カメラによって検出される前に、前記内因性蛍光放出をフィルタ処理するように構成されている、フィルタをさらに備える、項目２３に記載の装置。
（項目２５）
前記フィルタは、屈折率分布型（ＧＲＩＮ）レンズである、項目２４に記載の装置。
（項目２６）
前記ＧＲＩＮレンズは、５５０ｎｍを下回る光をフィルタ処理するように構成されている、項目２５に記載の装置。
（項目２７）
前記カメラは、相補的金属酸化物半導体（ＣＭＯＳ）センサを備える、項目２３に記載の装置。
（項目２８）
前記内因性蛍光放出光を分析し、前記内因性蛍光放出光を子宮内膜組織のインジケータとして分類するように構成されている、コンピュータプロセッサをさらに備える、項目２０に記載の装置。
（項目２９）
光コヒーレンス断層撮影（ＯＣＴ）撮像デバイスをさらに備える、項目２０に記載の装置。
（項目３０）
前記ＯＣＴ撮像デバイスは、前記組織の一部内の空隙を検出するように構成されている、項目２９に記載の装置。
（項目３１）
前記組織内の空隙を分析し、前記空隙を子宮内膜腺のインジケータとして分類するように構成されている、コンピュータプロセッサをさらに備える、項目３０に記載の装置。
（項目３２）
前記励起光源は、レーザである、項目２０に記載の装置。
（項目３３）
前記励起光源は、多光子撮像装置内の構成要素である、項目２０に記載の装置。
（項目３４）
前記励起光源は、２光子撮像装置内の構成要素である、項目２０に記載の装置。
（項目３５）
前記励起光源および前記撮像デバイスは、フォトニック結晶ファイバ内に含有されている、項目２０に記載の装置。